(57)【要約】【課題】本考案は、対象者のプライバシーに配慮しつつ高い信頼性をもって対象者の個室等における安否確認を行うことができる安否確認装置を提供するものである。【解決手段】本考案の安否確認装置は、トイレ等の個室１の天井に配置され個室内の撮像を行う第１、第２のカメラ３、４と、個室１内の物体の動きの有無を検出する動きセンサ５と、第１、第２のカメラ３、４による画像を基に個室初期形状及びステレオマッチングによる個室内の動きのある３次元形状を抽出する形状抽出手段１２と、形状抽出手段１２により抽出する個室１内の３次元形状の個室初期形状に対する割合の大小を監視する形状監視手段１３と、動きセンサ５からの動き無しの信号を基に計時を開始する計時手段１４と、警報を発するブザー７とを有し、ブザー７による一定時間の計時信号と、形状監視手段１３からの個室１内の３次元形状の個室初期形状に対する割合大の信号とを基に、ブザー７により対象者の異常を意味する警報を発生するものである。【選択図】図２
0003098057.tif 000002
【実用新案登録請求の範囲】
【請求項１】
トイレ等の個室の天井に配置され個室内の撮像を行う２台の撮像手段と、
個室内の物体の動きの有無を検出する動き検出手段と、
２台の撮像手段による画像を基に個室初期形状及びステレオマッチングによる個室内の動きのある３次元形状を抽出する形状抽出手段と、
形状抽出手段により抽出する個室内の３次元形状の個室初期形状に対する割合の大小を監視する形状監視手段と、
動き検出手段からの動き無しの信号を基に計時を開始する計時手段と、
警報を発する警報手段と、
を有し、
動き検出手段からの動き有りの信号と、前記形状監視手段からの個室内の３次元形状の個室初期形状に対する割合大の信号により個室内への対象者の入室を認定し、
動き検出手段からの動き有りの信号と、形状監視手段からの個室内の３次元形状の個室初期形状に対する割合小の信号とを基に対象者の個室からの退室を認定し、
前記計時手段による一定時間の計時信号と、形状監視手段からの個室内の３次元形状の個室初期形状に対する割合大の信号とを基に、警報手段により対象者の異常を意味する警報を発生するようにしたことを特徴とする安否確認装置。
【請求項２】
トイレ等の個室の天井に配置され個室内の撮像を行う２台の撮像手段と、
個室内の物体の動きの有無を検出する動き検出手段と、
２台の撮像手段による画像を基に個室初期形状及びステレオマッチングによる個室内の動きのある３次元形状を抽出する形状抽出手段と、
２台の撮像手段による画像の変化に応じて個室内の個室初期形状の更新を行い基準個室初期形状とする画像更新手段と、
形状抽出手段により抽出する個室内の３次元形状の基準個室初期形状に対する割合の大小を監視する形状監視手段と、
動き検出手段からの動き無しの信号を基に計時を開始する計時手段と、
警報を発する警報手段と、
を有し、
動き検出手段からの動き有りの信号と、前記形状監視手段からの個室内の３次元形状の基準個室初期形状に対する割合の大の信号により個室内への対象者の入室を認定し
動き検出手段からの動き有りの信号と、形状監視手段からの個室内の３次元形状の個室初期形状に対する割合小の信号とを基に対象者の個室からの退室を認定し、
計時手段による一定時間の計時信号と、形状監視手段からの個室内の３次元形状の個室初期形状に対する割合大の信号とを基に、警報手段により対象者の異常を意味する警報を発生するようにしたことを特徴とする安否確認装置。
【請求項３】
トイレ等の個室の天井に配置され個室内の撮像を行う２台の撮像手段と、
個室内の物体の動きの有無を検出する動き検出手段と、
２台の撮像手段による画像を基に個室初期形状及びステレオマッチングによる個室内の動きのある３次元形状を抽出する形状抽出手段と、
形状抽出手段により抽出する個室内の３次元形状の個室初期形状に対する割合の大小を監視する形状監視手段と、
動き検出手段からの動き無しの信号を基に計時を開始する計時手段と、
警報を発する警報手段と、
個室内の火災発生を検出する火災検出手段と、
を有し、
動き検出手段からの動き有りの信号と、前記形状監視手段からの個室内の３次元形状の個室初期形状に対する割合大の信号により個室内への対象者の入室を認定し、動き検出手段からの動き有りの信号と、形状監視手段からの個室内の３次元形状の個室初期形状に対する割合小の信号とを基に対象者の個室からの退室を認定し、前記計時手段による一定時間の計時信号と、形状監視手段からの個室内の３次元形状の個室初期形状に対する割合大の信号とを基に、警報手段により対象者の異常を意味する警報を発生するようにした安否確認装置と、
この安否確認装置と通信網を介して接続された監視装置と、
を有する安否確認システムであって、
前記監視装置は、
画像表示手段と、
前記通信網を介して前記２台の撮像手段のうちの少なくとも一方の撮像手段による画像データ及び前記警報手段による警報発生に連動する信号及び火災検出手段による火災信号を取り込み、取り込んだ画像データを画像表示手段の表示に供する監視制御部と、
警報発生に連動する信号を基にプライバシーモードを設定するモード設定手段と、
プライバシーモード設定時に前記監視制御部にて取り込んだ画像データに対する対象者のプライバシーを考慮した画像加工処理を行い、画像表示手段の表示に供する画像加工手段と、
前記火災発生手段からの火災信号を基に火災警報を発する火災警報手段と、
を備えることを特徴とする監視装置を具備する安否確認システム。
【請求項４】
トイレ等の個室の天井に配置され個室内の撮像を行う２台の撮像手段と、
個室内の物体の動きの有無を検出する動き検出手段と、
２台の撮像手段による画像を基に個室初期形状及びステレオマッチングによる個室内の動きのある３次元形状を抽出する形状抽出手段と、
２台の撮像手段による画像の変化に応じて個室内の個室初期形状の更新を行い基準個室初期形状とする画像更新手段と、
形状抽出手段により抽出する個室内の３次元形状の基準個室初期形状に対する割合の大小を監視する形状監視手段と、
動き検出手段からの動き無しの信号を基に計時を開始する計時手段と、
警報を発する警報手段と、
個室内の火災発生を検出する火災検出手段と、
を有し、
動き検出手段からの動き有りの信号と、前記形状監視手段からの個室内の３次元形状の基準個室初期形状に対する割合の大の信号により個室内への対象者の入室を認定し
動き検出手段からの動き有りの信号と、形状監視手段からの個室内の３次元形状の個室初期形状に対する割合小の信号とを基に対象者の個室からの退室を認定し、
計時手段による一定時間の計時信号と、形状監視手段からの個室内の３次元形状の個室初期形状に対する割合大の信号とを基に、警報手段により対象者の異常を意味する警報を発生するようにした安否確認装置と、
この安否確認装置と通信網を介して接続された監視装置と、
を有する安否確認システムであって、
前記監視装置は、
画像表示手段と、
前記通信網を介して前記２台の撮像手段のうちの少なくとも一方の撮像手段による画像データ及び前記警報手段による警報発生に連動する信号及び火災検出手段による火災信号を取り込み、取り込んだ画像データを画像表示手段の表示に供する監視制御部と、
警報発生に連動する信号を基にプライバシーモードを設定するモード設定手段と、
プライバシーモード設定時に前記監視制御部にて取り込んだ画像データに対する対象者のプライバシーを考慮した画像加工処理を行い、画像表示手段の表示に供する画像加工手段と、
前記火災発生手段からの火災信号を基に火災警報を発する火災警報手段と、
を備えることを特徴とする監視装置を具備する安否確認システム。
【考案の詳細な説明】
【考案の属する技術分野】
本考案は、安否確認装置及び監視装置を具備する安否確認システムに関し、詳しくは、個室等の中で身体に病気や何らかの事故があった場合にその発見が遅れがちな高齢者等を対象者とする安否確認装置及び監視装置を具備する安否確認システムに関する。
【従来の技術】
トイレ、風呂場、台所、老人健康施設等のような個室等において、高齢者等の対象者に万一突発的な病気、事故等が発生した場合にはその発見が遅れがちであり、個室等は極めて危険性が大きい空間である。
このような対象者の実生活における安否を確認する手段として従来から種々の提案がなされている。
例えば特開平０８−０５０６９２号（特許文献１）に開示されているように対象者の異常事態を検出して通信回線等を通じて第三者に通報する装置が提案されている。
【特許文献１】
特開平０８−０５０６９２号公報
【考案が解決しようとする課題】
しかし、この場合、装置の信頼性が高くないとサポートを行う第三者の負担が大きくなる。また、当該対象者に対する治療体制の準備、段取りの点で効率が悪くなる。
一方、個室において本当に対象者に異常事態が発生したか否かはプライバシーの問題に大きくかかわるものであり、本来プライバシーを守るための個室であるが早期発見、早期治療の実現のためには第三者がプライバシーを破り個室に入る必要性が出てくる。
本考案は、上述した従来の実情に鑑み開発されたものであり、対象者のプライバシーに配慮しつつ高い信頼性をもって対象者の個室等における安否確認を行うことができる安否確認装置及び監視装置を具備する安否確認システムを提供することを目的とするものである。
【課題を解決するための手段】
請求項１記載の考案の安否確認装置は、トイレ等の個室の天井に配置され個室内の撮像を行う２台の撮像手段と、個室内の物体の動きの有無を検出する動き検出手段と、２台の撮像手段による画像を基に個室初期形状及びステレオマッチングによる個室内の動きのある３次元形状を抽出する形状抽出手段と、形状抽出手段により抽出する個室内の３次元形状の個室初期形状に対する割合の大小を監視する形状監視手段と、動き検出手段からの動き無しの信号を基に計時を開始する計時手段と、警報を発する警報手段とを有し、動き検出手段からの動き有りの信号と、前記形状監視手段からの個室内の３次元形状の個室初期形状に対する割合大の信号により個室内への対象者の入室を認定し、動き検出手段からの動き有りの信号と、形状監視手段からの個室内の３次元形状の個室初期形状に対する割合小の信号とを基に対象者の個室からの退室を認定し、前記計時手段による一定時間の計時信号と、形状監視手段からの個室内の３次元形状の個室初期形状に対する割合大の信号とを基に、警報手段により対象者の異常を意味する警報を発生するようにしたことを特徴とするものである。
請求項１記載の考案によれば、２台の撮像手段により個室内を撮像し、形状抽出手段により個室初期形状及びステレオマッチングによる個室内の動きのある３次元形状を抽出する。次に、形状監視手段により個室内の３次元形状の個室初期形状に対する割合の大小を監視する。
そして、動き検出手段からの動き有りの信号と、前記形状監視手段からの個室内の３次元形状の個室初期形状に対する割合大の信号により個室内への対象者の入室を認定する。
また、動き検出手段からの動き有りの信号と、形状監視手段からの個室内の３次元形状の個室初期形状に対する割合小の信号とを基に対象者の個室からの退室を認定する。
更に、前記計時手段による一定時間の計時信号と、形状監視手段からの個室内の３次元形状の個室初期形状に対する割合大の信号とを基に、警報手段により対象者の異常を意味する警報を発生する。
これにより、個室を利用する対象者のプライバシーに配慮しつつ高い信頼性をもって対象者の個室における安否確認を行うことができる。
請求項２記載の考案の安否確認装置は、トイレ等の個室の天井に配置され個室内の撮像を行う２台の撮像手段と、個室内の物体の動きの有無を検出する動き検出手段と、２台の撮像手段による画像を基に個室初期形状及びステレオマッチングによる個室内の動きのある３次元形状を抽出する形状抽出手段と、２台の撮像手段による画像の変化に応じて個室内の個室初期形状の更新を行い基準個室初期形状とする画像更新手段と、形状抽出手段により抽出する個室内の３次元形状の基準個室初期形状に対する割合の大小を監視する形状監視手段と、動き検出手段からの動き無しの信号を基に計時を開始する計時手段と、警報を発する警報手段とを有し、動き検出手段からの動き有りの信号と、前記形状監視手段からの個室内の３次元形状の基準個室初期形状に対する割合の大の信号により個室内への対象者の入室を認定し、動き検出手段からの動き有りの信号と、形状監視手段からの個室内の３次元形状の個室初期形状に対する割合小の信号とを基に対象者の個室からの退室を認定し、計時手段による一定時間の計時信号と、形状監視手段からの個室内の３次元形状の個室初期形状に対する割合大の信号とを基に、警報手段により対象者の異常を意味する警報を発生するようにしたことを特徴とするものである。
請求項２記載の考案によれば、請求項１記載の考案と同様な作用効果を発揮するとともに、最新の個室初期形状を安否確認処理のための基準個室初期形状として用いることができ、安否確認動作の信頼性向上を実現できる。
請求項３記載の考案の監視装置を具備する安否確認システムは、トイレ等の個室の天井に配置され個室内の撮像を行う２台の撮像手段と、個室内の物体の動きの有無を検出する動き検出手段と、２台の撮像手段による画像を基に個室初期形状及びステレオマッチングによる個室内の動きのある３次元形状を抽出する形状抽出手段と、形状抽出手段により抽出する個室内の３次元形状の個室初期形状に対する割合の大小を監視する形状監視手段と、動き検出手段からの動き無しの信号を基に計時を開始する計時手段と、警報を発する警報手段と、個室内の火災発生を検出する火災検出手段とを有し、動き検出手段からの動き有りの信号と、前記形状監視手段からの個室内の３次元形状の個室初期形状に対する割合大の信号により個室内への対象者の入室を認定し、動き検出手段からの動き有りの信号と、形状監視手段からの個室内の３次元形状の個室初期形状に対する割合小の信号とを基に対象者の個室からの退室を認定し、前記計時手段による一定時間の計時信号と、形状監視手段からの個室内の３次元形状の個室初期形状に対する割合大の信号とを基に、警報手段により対象者の異常を意味する警報を発生するようにした安否確認装置と、この安否確認装置と通信網を介して接続された監視装置とを有する安否確認システムであって、前記監視装置は、画像表示手段と、前記通信網を介して前記２台の撮像手段のうちの少なくとも一方の撮像手段による画像データ及び前記警報手段による警報発生に連動する信号及び火災検出手段による火災信号を取り込み、取り込んだ画像データを画像表示手段の表示に供する監視制御部と、警報発生に連動する信号を基にプライバシーモードを設定するモード設定手段と、プライバシーモード設定時に前記監視制御部にて取り込んだ画像データに対する対象者のプライバシーを考慮した画像加工処理を行い、画像表示手段の表示に供する画像加工手段と、前記火災発生手段からの火災信号を基に火災警報を発する火災警報手段とを備えることを特徴とするものである。
この考案によれば、請求項１記載の考案の作用に加えて、前記安否確認装置と通信網を介して接続された監視装置により、遠隔位置において対象者のプライバシーを考慮した画像加工処理を行い、画像表示手段によって表示するものであるから、個室内の対象者のプライバシーに配慮しつつ高い信頼性をもって安否確認を行うことができる監視装置を具備する安否確認システムを提供することができる。
また、個室における火災発生も遠隔監視でき、個室使用者の安全性を高めることができる。
請求項４記載の考案の監視装置を具備する安否確認システムは、トイレ等の個室の天井に配置され個室内の撮像を行う２台の撮像手段と、個室内の物体の動きの有無を検出する動き検出手段と、２台の撮像手段による画像を基に個室初期形状及びステレオマッチングによる個室内の動きのある３次元形状を抽出する形状抽出手段と、２台の撮像手段による画像の変化に応じて個室内の個室初期形状の更新を行い基準個室初期形状とする画像更新手段と、形状抽出手段により抽出する個室内の３次元形状の基準個室初期形状に対する割合の大小を監視する形状監視手段と、動き検出手段からの動き無しの信号を基に計時を開始する計時手段と、警報を発する警報手段と、個室内の火災発生を検出する火災検出手段とを有し、動き検出手段からの動き有りの信号と、前記形状監視手段からの個室内の３次元形状の基準個室初期形状に対する割合の大の信号により個室内への対象者の入室を認定し、動き検出手段からの動き有りの信号と、形状監視手段からの個室内の３次元形状の個室初期形状に対する割合小の信号とを基に対象者の個室からの退室を認定し、計時手段による一定時間の計時信号と、形状監視手段からの個室内の３次元形状の個室初期形状に対する割合大の信号とを基に、警報手段により対象者の異常を意味する警報を発生するようにした安否確認装置と、この安否確認装置と通信網を介して接続された監視装置とを有する安否確認システムであって、前記監視装置は、画像表示手段と、前記通信網を介して前記２台の撮像手段のうちの少なくとも一方の撮像手段による画像データ及び前記警報手段による警報発生に連動する信号及び火災検出手段による火災信号を取り込み、取り込んだ画像データを画像表示手段の表示に供する監視制御部と、警報発生に連動する信号を基にプライバシーモードを設定するモード設定手段と、プライバシーモード設定時に前記監視制御部にて取り込んだ画像データに対する対象者のプライバシーを考慮した画像加工処理を行い、画像表示手段の表示に供する画像加工手段と、前記火災発生手段からの火災信号を基に火災警報を発する火災警報手段とを備えることを特徴とするものである。
この考案によれば、請求項２記載の考案の作用に加えて、前記安否確認装置と通信網を介して接続された監視装置により、遠隔位置において対象者のプライバシーを考慮した画像加工処理を行い、画像表示手段によって表示するものであるから、個室内の対象者のプライバシーに配慮しつつ高い信頼性をもって安否確認を行うことができる監視装置を具備する安否確認システムを提供することができる。
また、個室における火災発生も遠隔監視でき、個室使用者の安全性を高めることができる。
【考案の実施の形態】
以下、本考案の実施の形態を詳細に説明する。
図１は本考案の実施の形態に係る安否確認装置の例えば公園等に配置されたトイレのような個室１に対する配置を示す概略図であり、この安否確認装置は、個室１の天井に一定間隔で取り付けた２台の撮像手段である第１、第２カメラ３、４と、個室１の側壁に取り付けた動き検出手段である動きセンサ５と、例えば個室１の天井に取り付けた装置本体２と、個室１以外の場所（例えば公園であれば事務所等）に配置され、装置本体２に信号ケーブル６を介して接続された警報手段である例えばブザー７とを有している。図１中、８は個室１の床、９は個室１内に設置した便器である。
図２は安否確認装置の全体構成を示すブロック図であり、全体の制御を行う制御部１０を有し、この制御部１０により前記第１、第２カメラ３、４が撮像する各画像を処理する画像データ処理部１１と、画像データ処理部１１からの各画像データを基に個室初期形状及びステレオマッチングによる個室１内の動きのある３次元形状を抽出する形状抽出手段１２と、形状抽出手段１２により抽出する個室内の３次元形状の個室初期形状に対する割合の大小を監視する形状監視手段１３と、動きセンサ５からの動き無しの信号を基に計時を開始する計時手段（タイマ）１４と、個室１内の物体の動きの有無を検出する前記動きセンサ５と、警報を発する前記ブザー７とを制御するようになっている。
前記制御部１０、画像データ処理部１１、形状抽出手段１２、形状監視手段１３、計時手段１４は前記装置本体２に搭載している。
前記動きセンサ５としては、人体の熱を検出する熱センサ、検出範囲の画像の経時比較を行うもの等を挙げることができる。前記警報手段としては、ブザー７の他、チャイム、スピーカ、ベル等を用いることができる。
ここで、ステレオマッチングの原理について図３を参照して説明する。
平行に配置した第１、第２カメラ３、４にて同一対象物Ａ又はＢを撮像するとき、近距離の物体Ａと遠距離の物体Ｂとでは、近距離の物体Ａに対する視差α、遠距離の物体Ｂに対する視差βとなり、近距離の物体Ａの方が視差が大きくなる。換言すれば近距離の物体Ａの方が第１、第２カメラ３、４による両画像のずれが大きくなる。
そして、物体Ａ又はＢを第１、第２カメラ３、４にて重なり合うように撮像し、これらの画像を同一部位、同一画素位置で合成する（ステレオマッチング）ことで、物体Ａ又はＢの画像として人間の両眼による実体視の場合と同様、奥行きを持った３次元画像として得ることができる。
本実施の形態に係る形状抽出手段１２は、このような原理に基づき個室１内の画像及び動きのある物体の画像を抽出するものである。例えば図４に示すような対象者の３次元形状Ｆ及び個室初期形状１Ａを抽出する。
次に、本実施の形態に係る安否確認装置による安否確認動作について、図５を参照して説明する。
この安否確認装置が動作している状態で個室１内に人が入室すると（ステップＳ１）、動きセンサ５が反応し（ステップＳ２）動き有りの信号を制御部１０に送る。また第１、第２カメラ３、４は、各々個室１内を撮像する（ステップＳ３）。
第１、第２カメラ３、４からの一対の画像は、画像データ処理部１１にて処理されデジタル化された画像データに変換される。
形状抽出手段１２は、各画像データを基にステレオマッチングによる画像処理を行い個室１内の個室初期形状１Ａを抽出するとともに、入室した人の３次元形状Ｆを抽出する（ステップＳ４）。
形状監視手段１３は、形状抽出手段１２により抽出する個室初期形状１Ａに対する３次元形状Ｆの割合（ボリューム）を監視する（ステップＳ５）。そして、この場合には人の３次元形状Ｆであることからその割合はかなり大きいことから制御部１０は個室１への人の入室と認定する（ステップＳ６）。
この後、動きセンサ５の反応が停止し（ステップＳ７）、動き無しの信号が制御部１０に送られると、形状監視手段１３は、個室初期形状１Ａに対する３次元形状Ｆの割合（ボリューム）を監視する（ステップＳ８）。また、前記計時手段１４は計時を開始する（ステップＳ９）。
そして、形状監視手段１３が監視する割合が、０又は０に近い場合には制御部１０は個室１からの人の退室と認定する（ステップＳ１０）。
一方、形状監視手段１３が監視する割合が大きいまま計時手段１４の計時が一定時間（例えばプライバシーを考慮した１５分程度）経過した場合には（ステップＳ１１）、個室１内に入室した人が動けなくなったか、意識が無くなったかの事態が想定され、制御部１０は前記信号ケーブル６を介して接続されたブザー７を駆動し警報を鳴動させる（ステップＳ１２）。
これにより、例え公園の事務所等にいる担当者は、対象者（個室１内に入室した人）の身体に病気、怪我等の異常が生じたことを認識でき、直ちに救援体制を取ることができる。
このようにして対象者のプライバシーの保護を図りつつ、安否確認動作の信頼性の確保を図ることができる。
図６は、安否確認装置の変形例を示すものである。
この変形例は図２に示す安否確認装置と基本的構成は同様であるが、第１、第２カメラ３、４が撮像する２つの画像から形状抽出手段１２が個室１内の個室初期形状を抽出する場合に、前記第１、第２のカメラ３、４による画像の変化に応じて個室１内の個室初期形状の更新を行い基準個室初期形状とする画像更新手段１５を付加したことが特徴である。
画像更新手段１５による個室１内の個室初期形状の更新処理を行うのは以下の理由による。即ち、第１、第２のカメラ３、４による個室１自体の画像は、個室１の窓に対する日当たりの変化、個室１の床８に対する水まき、落ち葉の落下等の環境条件で絶えず変化する。このため、第１、第２のカメラ３、４が撮像する画像の変化に応じて、個室１内の個室初期形状を絶えず更新し、最新の個室初期形状を安否確認処理のための基準個室初期形状とするものである。
このような画像更新手段１５を付加した安否確認装置によれば、図２に示す安否確認装置と同様な作用効果を発揮するとともに、最新の個室初期形状を安否確認処理のための基準個室初期形状として用いることができ、安否確認動作の信頼性向上を実現できる。
次に、図７を参照して本考案の他の実施の形態について説明する。
図７に示す監視装置を具備する安否確認システムは、図２に示す前記安否確認装置の構成に、前記個室１内の火災発生を検出する火災検出手段である火災センサ３１を付加するとともに、この安否確認装置とインターネットのような通信網４０を介して接続され、前記個室１の遠隔監視を行う監視装置５０を接続したことが特徴である。
前記安否確認装置と監視装置５０とは、安否確認装置側に設けた通信処理部３２、通信網４０、監視装置５０側に設けた通信処理部５２を介して接続されるようになっている。
監視装置５０は、画像表示を行う画像表示手段である画像モニタ５７と、前記通信網４０を介して前記第１カメラ３、第２カメラ４のうちの少なくとも一方のカメラによる画像データ及び前記ブザー７による警報発生に連動する信号及び火災センサ３１による火災信号を取り込み、取り込んだ画像データを画像モニタ５７の表示に供する監視制御部５１と、警報発生に連動する信号を基にプライバシーモードを設定するモード設定手段５３と、プライバシーモード設定時に前記監視制御部５１にて取り込んだ画像データに対する対象者のプライバシーを考慮したモザイク処理等の画像加工処理を行い、画像モニタ５７の表示に供する画像加工手段５４と、前記火災センサ３１からの火災信号を処理する火災信号処理部５５と、この火災信号処理部５５の処理結果を基に火災警報を発する火災警報手段５６とを備えている。
前記火災センサ３１としては、例えば個室１内の炎の色等を検出する色検出センサを用い、また火災信号処理部５５としては例えば火災センサ３１の検出信号に対するスペクトル分析を行い、スペクトル分析結果が赤色又は赤橙色に相当するとき前記火災警報手段５６に駆動信号を送る手段を用いる。
本実施の形態に係る安否確認システムによれば、図２に示す安否確認装置の作用、効果に加えて、前記通信網４０を介して個室１内の画像を取り込み、警報発生に連動する信号を基にプライバシーモードを設定し、このプライバシーモード設定時に前記監視制御部５１にて取り込んだ画像データに対する対象者のプライバシーを考慮したモザイク処理等の画像加工処理を行い、画像モニタ５７によって表示するようにしたものであるから、遠隔位置において対象者のプライバシーを考慮しつつ高い信頼性をもって安否確認を行うことができる。
更に、前記通信網４０を介して取り込んだ火災センサ３１からの火災信号を基に、火災警報手段５６により火災警報を発するようにしているので、遠隔位置において個室１の火災の監視を行い迅速に対応する事が可能となり、安全性を高めることができる安否確認システムを構築できる。
次に、図８を参照して本考案の更に他の実施の形態について説明する。
図８に示す監視装置を具備する安否確認システムは、図６に示す前記安否確認装置の構成に、前記個室１内の火災発生を検出する火災検出手段である火災センサ３１を付加するとともに、この安否確認装置とインターネットのような通信網４０を介して接続され、前記個室１の遠隔監視を行う図７に示す場合と同様な監視装置５０を接続したことが特徴である。
本実施の形態に係る安否確認システムによれば、前記図６に示す安否確認装置の作用、効果に加えて、前記図７に示す安否確認システムと同様に遠隔位置において対象者のプライバシーを考慮しつつ高い信頼性をもって安否確認を行うことができ、且つ、遠隔位置において個室１の火災の監視を行い迅速に対応する事が可能で、安全性を高めることができる安否確認システムを構築できる。
なお、図７、図８に示す安否確認システムにおいて、前記個室１内の画像を撮像する手段としては、上述した場合の他、第１カメラ、第２カメラとは別に監視カメラを設置するようにしてもよい。
【考案の効果】
請求項１記載の考案によれば、個室を利用する対象者に異常事態が生じた場合に、警報手段により対象者の異常を意味する警報を発生することができ、対象者のプライバシーに配慮しつつ高い信頼性をもって対象者の個室における安否確認を行うことができる安否確認装置を提供することができる。
請求項２記載の考案によれば、請求項１記載の考案と同様な効果を奏するとともに、最新の個室初期形状を安否確認処理のための基準個室初期形状として用いることができ、安否確認動作の信頼性向上を実現できる安否確認装置を提供することができる。
請求項３、４記載の考案によれば、遠隔位置において対象者のプライバシーを考慮しつつ高い信頼性をもって安否確認を行うことができ、個室の火災の監視も可能で一層安全性の高い監視装置を具備する安否確認システムを提供することができる。
【図面の簡単な説明】
【図１】本考案の実施の形態に係る安否確認装置の配置を示す概略図である。
【図２】本考案の実施の形態に係る安否確認装置の構成を示すブロック図である。
【図３】ステレオマッチングの原理説明図である。
【図４】本考案の実施の形態に係る安否確認装置により抽出する個室内の３次元形状の説明図である。
【図５】本考案の実施の形態に係る安否確認装置による対象者の安否確認動作を示すフローチャートである。
【図６】本考案の実施の形態に係る安否確認装置の変形例の構成を示すブロック図である。
【図７】本考案の他の実施の形態である監視装置を具備する安否確認システムの構成を示すブロック図である。
【図８】本考案の更に他の実施の形態である監視装置を具備する安否確認システムの構成を示すブロック図である。
【符号の説明】
１　個室
２　装置本体
３　第１カメラ
４　第２カメラ
５　動きセンサ
６　信号ケーブル
７　ブザー
１０　制御部
１１　画像データ処理部
１２　形状抽出手段
１３　形状監視手段
１４　計時手段
１５　画像更新手段
３１　火災センサ
３２　通信処理部
４０　通信網
５０　監視装置
５１　監視制御部
５２　通信処理部
５３　モード設定手段
５４　画像加工手段
５５　火災信号処理部
５６　火災警報手段
５７　画像モニタ
【図１】
0003098057.tif 000003
【図２】
0003098057.tif 000004
【図３】
0003098057.tif 000005
【図４】
0003098057.tif 000006
【図５】
0003098057.tif 000007
【図６】
0003098057.tif 000008
【図７】
0003098057.tif 000009
【図８】
0003098057.tif 000010